(57)【要約】【課題】漏話による通信性能の劣化を抑える。【解決手段】幹線Ｌｓ１，Ｌｓ２の間に発生する漏話（近端漏話及び遠端漏話）や幹線Ｌｓ１，Ｌｓ２に接続されている住戸別線Ｌｃmnと子機接続線Ｌｄmnとの間に発生する漏話を通信制御装置１や各住戸機２mnにおいて検出するとともに、漏話が生じていること（異常）を通信制御装置１や各住戸機２mnで報知している。故に、集合住宅用インターホンシステムの運用前（例えば、システムの施工時）に施工者等に漏話の発生を知らせることができて、漏話が生じている幹線Ｌｓ１，Ｌｓ２や住戸別線Ｌｃmnと子機接続線Ｌｄmnを物理的に離すといった処置を取るように促すことができる。【選択図】        図１
2010109750.tif 000002
【特許請求の範囲】
【請求項１】
建物構内に配設された通信線に接続される複数の端末と、それぞれに複数の端末が接続された複数系統の前記通信線に接続され、通信線を介して個々の端末との間で通信信号を伝送する通信制御装置と、何れかの系統の通信線に送信された試験用の通信信号が他の系統の通信線に漏れる漏話の有無を検出する漏話検出手段と、漏話検出手段で漏話が検出されたときに異常を報知する報知手段とを備えたことを特徴とする通信システム。
【請求項２】
通信制御装置は、複数系統の通信線毎に通信信号を送信する複数の送信手段と、複数系統の通信線毎に通信信号を受信する受信手段と、何れか一つの系統の通信線に対して当該通信線に対応する送信手段から通信信号を送信したときに当該一つの系統を除く別の系統の通信線に対応する受信手段で受信される近端漏話を検出する前記漏話検出手段と、当該漏話検出手段で近端漏話が検出されたときに異常を報知する前記報知手段とを備えたことを特徴とする請求項１記載の通信システム。
【請求項３】
複数の端末は、接続されている一つの系統の通信線に通信信号を送信する第１の送信手段と、当該通信線から通信信号を受信する第１の受信手段と、第１の受信手段で受信される通信信号の遠端漏話を検出する前記漏話検出手段と、当該漏話検出手段で遠端漏話が検出されたときに異常を報知する前記報知手段とを備えたことを特徴とする請求項１又は２記載の通信システム。
【請求項４】
複数の端末は、漏話検出手段で遠端漏話が検出されたことを通信信号によって通信制御装置に通知する通知手段を備え、
通信制御装置の報知手段は、端末の通知手段から通知されたときに異常を報知することを特徴とする請求項３記載の通信システム。
【請求項５】
少なくとも何れか一つの系統の通信線において通信制御装置と端末との間に挿入され、上流側の通信制御装置から送信される通信信号を下流側の端末へ中継するとともに下流側の端末から送信される通信信号を上流側の通信制御装置へ中継する中継器を有し、
中継器は、通信信号に含まれる宛先アドレスを取得するとともに当該宛先アドレスと一致するアドレスが割り当てられている端末が下流側に存在するか否かを判定することで漏話を検出する前記漏話検出手段と、当該漏話検出手段により前記端末が存在しないと判定されたときに異常を報知する前記報知手段を備えたことを特徴とする請求項１〜４の何れか１項に記載の通信システム。
【請求項６】
中継器は、漏話検出手段で前記端末が存在しないと判定されたことを通信信号によって通信制御装置に通知する通知手段を備え、
通信制御装置の報知手段は、中継器の通知手段から通知されたときに異常を報知することを特徴とする請求項５記載の通信システム。
【請求項７】
中継器は、漏話検出手段で前記端末が存在しないと判定されたときに当該通信信号を下流側へ中継しないことを特徴とする請求項５又は６記載の通信システム。
【請求項８】
信号線を介して複数の端末に一対一で接続される複数の子機を有し、
各端末は、信号線を介して子機へ第２の通信信号を送信する第２の送信手段と、信号線を介して子機から送信される第２の通信信号を受信する第２の受信手段と、当該第２の受信手段における信号対雑音比を計測する計測手段と、通信線を介して伝送される第１の通信信号を第１の受信手段で受信している間に子機から信号線を介して第２の通信信号が送信されているときに計測手段で計測された信号対雑音比が、通信線を介して伝送される第１の通信信号を第１の受信手段で受信し且つ子機から信号線を介して第２の通信信号が送信されていないときに計測手段で計測された信号対雑音比よりも劣化しているか否かを判定する信号対雑音比劣化判定手段と、信号対雑音比劣化判定手段で劣化していると判定されたときに異常を報知する報知手段とを備えたことを特徴とする請求項１〜７の何れか１項に記載の通信システム。
【請求項９】
信号線を介して複数の端末に一対一で接続される複数の子機を有し、
各端末は、信号線を介して子機へ第２の通信信号を送信する第２の送信手段と、信号線を介して子機から送信される第２の通信信号を受信する第２の受信手段と、第１の受信手段で受信される第２の通信信号の遠端漏話の有無を検出する第２の遠端漏話検出手段と、第２の遠端漏話検出手段で遠端漏話が検出されたときに異常を報知する報知手段とを備えたことを特徴とする請求項１〜８の何れか１項に記載の通信システム。
【請求項１０】
各端末は、信号対雑音比劣化判定手段で劣化している判定されたことを通信信号によって通信制御装置に通知する通知手段を備え、
通信制御装置の報知手段は、端末の通知手段から通知されたときに異常を報知することを特徴とする請求項８記載の通信システム。
【請求項１１】
各端末は、第２の遠端漏話検出手段で遠端漏話が検出されたことを通信信号によって通信制御装置に通知する通知手段を備え、
通信制御装置の報知手段は、端末の通知手段から通知されたときに異常を報知することを特徴とする請求項９記載の通信システム。
【発明の詳細な説明】
【技術分野】
【０００１】
本発明は、建物構内に配設された通信線に接続される複数の端末と、それぞれに複数の端末が接続された複数系統の前記通信線に接続され、通信線を介して個々の端末との間で通信信号を伝送する通信制御装置とを有する通信システムに関するものである。
【背景技術】
【０００２】
従来の通信システムとして、特許文献１に記載されている集合住宅用インターホンシステムがある。
【０００３】
特許文献１に記載されている従来例は、集合住宅の共同玄関に設置されるロビーインターホンと、集合住宅の各住戸に設置される住戸機と、ロビーインターホンから送信される映像信号を、集合住宅の各棟毎に配設されている複数系統の通信線に択一的に転送する幹線制御装置（通信制御装置）とを備えている。そして、何れかの住戸を訪問しようとする訪問者がロビーインターホンのテンキースイッチで訪問先の住戸番号を入力すると、ロビーインターホンから通信線を介して当該住戸番号の住戸に設置されている住戸機へ呼出信号が送信される。さらに、ロビーインターホンから当該住戸機に対してロビーインターホンのカメラで撮像された映像が通信線を介して伝送され、当該住戸機においては、呼出信号を受信して呼出音を鳴動させるとともに、ロビーインターホンから受け取った映像（訪問者の映像）をモニタに表示させる。
【特許文献１】特開２００８−４８０４９号公報
【発明の開示】
【発明が解決しようとする課題】
【０００４】
ところで、通信制御装置（幹線制御装置）には各棟毎に配設される複数系統の通信線が接続されるため、通信制御装置の近くでは各系統の通信線が同一の配線管に収納される場合がある。そして、複数系統の通信線が近接して配置された場合、通信線間の漏話（クロストーク）によって通信性能が劣化してしまう虞があった。ここで、漏話によって通信性能の劣化が生じる虞のあることを、システムの運用前（例えば、システムの施工時）に施工者等が知ることができれば、漏話が生じている通信線同士を離すといった処置を取ることができる。
【０００５】
本発明は上記事情に鑑みて為されたものであり、その目的は、漏話による通信性能の劣化を抑えることができる通信システムを提供することにある。
【課題を解決するための手段】
【０００６】
請求項１の発明は、上記目的を達成するために、建物構内に配設された通信線に接続される複数の端末と、それぞれに複数の端末が接続された複数系統の前記通信線に接続され、通信線を介して個々の端末との間で通信信号を伝送する通信制御装置と、何れかの系統の通信線に送信された試験用の通信信号が他の系統の通信線に漏れる漏話の有無を検出する漏話検出手段と、漏話検出手段で漏話が検出されたときに異常を報知する報知手段とを備えたことを特徴とする。
【０００７】
請求項１の発明によれば、何れかの系統の通信線に送信された試験用の通信信号が他の系統の通信線に漏れる漏話の有無を漏話検出手段で検出し、漏話検出手段で漏話が検出されたときに報知手段が異常を報知するので、漏話によって通信性能の劣化が生じる虞のあることを、システムの運用前（例えば、システムの施工時）に施工者等に知らせることができて、漏話が生じている通信線同士を離すといった処置を取るように促すことができる。その結果、漏話による通信性能の劣化を抑えることができる。
【０００８】
請求項２の発明は、請求項１の発明において、通信制御装置は、複数系統の通信線毎に通信信号を送信する複数の送信手段と、複数系統の通信線毎に通信信号を受信する受信手段と、何れか一つの系統の通信線に対して当該通信線に対応する送信手段から通信信号を送信したときに当該一つの系統を除く別の系統の通信線に対応する受信手段で受信される近端漏話を検出する前記漏話検出手段と、当該漏話検出手段で近端漏話が検出されたときに異常を報知する前記報知手段とを備えたことを特徴とする。
【０００９】
請求項２の発明によれば、漏話検出手段と報知手段を通信制御装置に備えることによって、施工者が近端漏話による異常の有無を容易に把握できる。
【００１０】
請求項３の発明は、請求項１又は２の発明において、複数の端末は、接続されている一つの系統の通信線に通信信号を送信する第１の送信手段と、当該通信線から通信信号を受信する第１の受信手段と、第１の受信手段で受信される通信信号の遠端漏話を検出する前記漏話検出手段と、当該漏話検出手段で遠端漏話が検出されたときに異常を報知する前記報知手段とを備えたことを特徴とする。
【００１１】
請求項４の発明は、請求項３の発明において、複数の端末は、漏話検出手段で遠端漏話が検出されたことを通信信号によって通信制御装置に通知する通知手段を備え、通信制御装置の報知手段は、端末の通知手段から通知されたときに異常を報知することを特徴とする。
【００１２】
請求項４の発明によれば、施工者が複数の端末を見回らなくても遠端漏話による異常の有無を容易に把握できる。
【００１３】
請求項５の発明は、請求項１〜４の何れか１項の発明において、少なくとも何れか一つの系統の通信線において通信制御装置と端末との間に挿入され、上流側の通信制御装置から送信される通信信号を下流側の端末へ中継するとともに下流側の端末から送信される通信信号を上流側の通信制御装置へ中継する中継器を有し、中継器は、通信信号に含まれる宛先アドレスを取得するとともに当該宛先アドレスと一致するアドレスが割り当てられている端末が下流側に存在するか否かを判定することで漏話を検出する前記漏話検出手段と、当該漏話検出手段により前記端末が存在しないと判定されたときに異常を報知する前記報知手段を備えたことを特徴とする。
【００１４】
請求項６の発明は、請求項５の発明において、中継器は、漏話検出手段で前記端末が存在しないと判定されたことを通信信号によって通信制御装置に通知する通知手段を備え、通信制御装置の報知手段は、中継器の通知手段から通知されたときに異常を報知することを特徴とする。
【００１５】
請求項６の発明によれば、施工者が複数の端末を見回らなくても漏話による異常の有無を容易に把握できる。
【００１６】
請求項７の発明は、請求項５又は６の発明において、中継器は、漏話検出手段で前記端末が存在しないと判定されたときに当該通信信号を下流側へ中継しないことを特徴とする。
【００１７】
請求項７の発明によれば、中継器よりも上流側で生じた漏話によって中継器の下流側の輻輳を回避することができる。
【００１８】
請求項８の発明は、請求項１〜７の何れか１項の発明において、信号線を介して複数の端末に一対一で接続される複数の子機を有し、各端末は、信号線を介して子機へ第２の通信信号を送信する第２の送信手段と、信号線を介して子機から送信される第２の通信信号を受信する第２の受信手段と、当該第２の受信手段における信号対雑音比を計測する計測手段と、通信線を介して伝送される第１の通信信号を第１の受信手段で受信している間に子機から信号線を介して第２の通信信号が送信されているときに計測手段で計測された信号対雑音比が、通信線を介して伝送される第１の通信信号を第１の受信手段で受信し且つ子機から信号線を介して第２の通信信号が送信されていないときに計測手段で計測された信号対雑音比よりも劣化しているか否かを判定する信号対雑音比劣化判定手段と、信号対雑音比劣化判定手段で劣化していると判定されたときに異常を報知する報知手段とを備えたことを特徴とする。
【００１９】
請求項８の発明によれば、各端末と子機を接続する信号線から通信線に漏れる漏話によって信号対雑音比が劣化していることを、システムの運用前（例えば、システムの施工時）に施工者等に知らせることができて、漏話が生じている信号線と通信線を離すといった処置を取るように促すことができる。
【００２０】
請求項９の発明は、請求項１〜８の何れか１項の発明において、信号線を介して複数の端末に一対一で接続される複数の子機を有し、各端末は、信号線を介して子機へ第２の通信信号を送信する第２の送信手段と、信号線を介して子機から送信される第２の通信信号を受信する第２の受信手段と、第１の受信手段で受信される第２の通信信号の遠端漏話の有無を検出する第２の遠端漏話検出手段と、第２の遠端漏話検出手段で遠端漏話が検出されたときに異常を報知する報知手段とを備えたことを特徴とする。
【００２１】
請求項１０の発明は、請求項８の発明において、各端末は、信号対雑音比劣化判定手段で劣化している判定されたことを通信信号によって通信制御装置に通知する通知手段を備え、通信制御装置の報知手段は、端末の通知手段から通知されたときに異常を報知することを特徴とする。
【００２２】
請求項１０の発明によれば、施工者が複数の端末を見回らなくても端末と子機との間の漏話による異常の有無を通信制御装置の設置場所において容易に把握できる。
【００２３】
請求項１１の発明は、請求項９の発明において、各端末は、第２の遠端漏話検出手段で遠端漏話が検出されたことを通信信号によって通信制御装置に通知する通知手段を備え、通信制御装置の報知手段は、端末の通知手段から通知されたときに異常を報知することを特徴とする。
【００２４】
請求項１１の発明によれば、施工者が複数の端末を見回らなくても端末と子機との間の漏話による異常の有無を通信制御装置の設置場所において容易に把握できる。
【発明の効果】
【００２５】
本発明によれば、漏話による通信性能の劣化を抑えることができる。
【発明を実施するための最良の形態】
【００２６】
以下、マンションなどの集合住宅に設置される集合住宅用インターホンシステムに本発明の技術思想を適用した実施形態について、図面を参照しながら詳細に説明する。
【００２７】
（実施形態１）
本実施形態の集合住宅用インターホンシステムは、図１に示すように集合住宅の各住戸に設置される住戸機（端末）２と、各住戸の外玄関に設置される子機３と、集合住宅の共用玄関（ロビー）に設置される共用部装置（ロビーインターホン）４と、各住戸機２が住戸別線Ｌｃを介して接続される複数系統（図示例では２系統）の通信線（以下、「幹線」と呼ぶ。）Ｌｓ１，Ｌｓ２に接続される通信制御装置１とで構成されている。
【００２８】
共用部装置４（４1，４2）は、通信線Ｌｘ（ＬＸ１，Ｌｘ２）を介して伝送信号を送受信する送受信回路部４２と、送受信回路部４２を制御して通信する通信部４１と、音声を入出力する音声入出力部４３と、来訪者を撮像する撮像部４４と、テンキーなどの操作釦を有する操作入力部４５と、各部の制御等を行う制御部４０とを備えている。
【００２９】
音声入出力部４３は、マイクロホンで集音した音声をＡ／Ｄ変換した後にＰＣＭなどの所定の符号化方式で符号化した音声データを制御部４０に出力するとともに、制御部４０から入力される音声データを復号化した後にＤ／Ａ変換したアナログの音声信号でスピーカを駆動して音声を鳴動させる。
【００３０】
撮像部４４は、ＣＣＤイメージセンサやＣＭＯＳイメージセンサなどの固体撮像素子から出力されるデジタルの映像信号（例えば、デジタルＹＵＶ信号など）を制御部４０に渡している。
【００３１】
操作入力部４５は、テンキーなどの操作釦が操作されたときに制御部４０へ操作信号を出力する。
【００３２】
制御部４０は、ＣＰＵやメモリなどで構成され、撮像部４４から渡されるデジタル映像信号をＭＰＥＧ−４やＨ．２６４などの所定の圧縮符号化方式で符号化した映像データを生成する映像信号処理機能、通信に必要なプロトコル・スタック（後述する）などが実装されている。
【００３３】
通信部４１は、制御部４０で生成されるフレーム（後述する）をデジタル変調するとともに、デジタル変調された伝送信号を送受信回路部４１の送信アンプから通信線Ｌｘを介して送信するとともに通信線Ｌｘを介して送受信回路部４１の受信アンプを通じて伝送信号を受信し、さらに受信した伝送信号から元のフレームをデジタル復調して制御部４０に渡す。
【００３４】
子機３は、図２に示すように子機接続線（信号線）Ｌｄに接続された送信アンプ及び受信アンプからなる送受信回路部３２と、送受信回路部３２を制御して通信する通信部３１と、音声を入出力する音声入出力部３３と、来訪者を撮像する撮像部３４と、呼出釦などの操作釦を有する操作入力部３５と、各部の制御等を行う制御部３０とを備えている。
【００３５】
音声入出力部３３は、マイクロホンで集音した音声をＡ／Ｄ変換した後にＰＣＭなどの所定の符号化方式で符号化した音声データを制御部３０に出力するとともに、制御部３０から入力される音声データを復号化した後にＤ／Ａ変換したアナログの音声信号でスピーカを駆動して音声を鳴動させる。
【００３６】
撮像部３４は、ＣＣＤイメージセンサやＣＭＯＳイメージセンサなどの固体撮像素子から出力されるデジタルの映像信号（例えば、デジタルＹＵＶ信号など）を制御部３０に渡している。
【００３７】
操作入力部３５は、呼出釦が操作されたときに制御部３０へ操作信号を出力する。
【００３８】
制御部３０は、ＣＰＵやメモリなどで構成され、撮像部３４から渡されるデジタル映像信号をＭＰＥＧ−４やＨ．２６４などの所定の圧縮符号化方式で符号化した映像データを生成する映像信号処理機能、通信に必要なプロトコル・スタック（後述する）などが実装されている。
【００３９】
通信部３１は、制御部３０で生成されるフレーム（後述する）をデジタル変調するとともに、デジタル変調された伝送信号を送受信回路部３１の送信アンプから子機接続線Ｌｄを介して送信するとともに子機接続線Ｌｄを介して送受信回路部３１の受信アンプを通じて伝送信号を受信し、さらに受信した伝送信号から元のフレームをデジタル復調して制御部３０に渡す。
【００４０】
住戸機２は、図１に示すようにＣＰＵやメモリなどで構成される制御部２０と、音声を入出力する音声入出力部２３と、映像を表示する映像表示部２４と、応答釦などの操作釦を有する操作入力部２５と、住戸別線Ｌｃに接続された送信アンプ及び受信アンプからなる送受信回路部２２と、送受信回路部２２を介して伝送信号を送受信する通信部２１と、子機接続線Ｌｄに接続された送信アンプ及び受信アンプからなる送受信回路部２７と、送受信回路部２７を介して子機３との間で通信する子機通信部２６とを備えている。
【００４１】
音声入出力部２３は、マイクロホンで集音した音声をＡ／Ｄ変換した後にＰＣＭなどの所定の符号化方式で符号化した音声データを制御部２０に出力するとともに、制御部２０から入力される音声データを復号化した後にＤ／Ａ変換したアナログの音声信号でスピーカを駆動して音声を鳴動させる。
【００４２】
映像表示部２４は、液晶ディスプレイなどの表示デバイスと当該表示デバイスを駆動する駆動回路などを有し、後述するように制御部２０から出力される映像信号によって駆動回路が表示デバイスを駆動することで表示デバイスに映像（共用部装置４の撮像部４４で撮像された動画像若しくは子機３の撮像部３４で撮像された動画像など）を表示する。
【００４３】
操作入力部２５は、応答釦を有し、応答釦が操作されたときに制御部２０へ応答操作信号を出力する。
【００４４】
通信部２１は、制御部２０で生成されるフレーム（後述する）をデジタル変調するとともに、デジタル変調された伝送信号を送受信回路部２２の送信アンプから住戸別線Ｌｃを介して送信するとともに住戸別線Ｌｃを介して送受信回路部２２の受信アンプを通じて伝送信号を受信し、さらに受信した伝送信号から元のフレームをデジタル復調して制御部２０に渡す。
【００４５】
通信制御装置１は、幹線Ｌｓ１，Ｌｓ２に接続された送信アンプ及び受信アンプからなる送受信回路部１１，１２と、通信線Ｌｘ１，Ｌｘ２に接続された送信アンプ及び受信アンプからなる送受信回路部１３，１４と、操作釦の操作入力を受け付ける操作入力部１５と、音や光で異常（後述する）を報知する報知部１６と、ＣＰＵやメモリなどで構成され、各部の制御を行うとともに伝送信号で伝送されるフレームの宛先アドレス（後述する）に基づいて中継先の通信ポート（送受信回路部１１〜１４）を選択する中継処理などを行う通信制御部１０とを備えている。
【００４６】
ここで、通信制御装置１の通信制御部１０、住戸機２の通信部２１並びに子機通信部２６、子機３の通信部３１、共用部装置４の通信部４１は送受信回路部１１〜１４，２２，２７，３２，４２と一対一に対応する通信ポート（図示せず）を有している。各通信ポートには固有のアドレス（ＭＡＣアドレス）が割り当てられており、通信制御装置１の通信制御部１０、住戸機２の制御部２０、子機３の制御部３０、共用部装置４の制御部４０においては、各通信ポートに伝送路（幹線Ｌｓ１，Ｌｓ２及び住戸別線Ｌｃmn＜ｍ＝１，２，…、ｎ＝１，２，…＞又は通信線Ｌｘ，Ｌｘ２又は子機接続線Ｌｄmn＜ｍ＝１，２，…、ｎ＝１，２，…＞）を介して接続されている他の通信機器（通信制御装置１や住戸機２，共用部装置４）の通信ポートのＭＡＣアドレスをメモリに記憶している。
【００４７】
ここで、通信制御装置１の通信制御部１０、住戸機２の制御部２０、子機３の制御部３０、共用部装置４の制御部４０に実装されているプロトコル・スタックは、トランスポート層のプロトコルとしてＴＣＰ／ＵＤＰ、ネットワーク層のプロトコルとしてＩＰを有している。そして、通信制御装置１の通信制御部１０、住戸機２の制御部２０、子機３の制御部３０、共用部装置４の制御部４０には各々固有のプライベートＩＰアドレス（以下、「ＩＰアドレス」と略す。）が割り当てられてメモリに記憶されるとともに、他の通信機器に割り当てられているＩＰアドレスと当該他の通信機器の通信ポートに割り当てられているＭＡＣアドレスとの対応関係がメモリに記憶されている。
【００４８】
したがって、住戸機２の制御部２０、子機３の制御部３０、共用部装置４の制御部４０の送信処理においては、伝送しようとするデータ（音声データや映像データなど）を分割してトランスポート層のフレーム（ＴＣＰ／ＵＤＰフレーム）のデータ部（データフィールド）に格納するとともに、当該ＴＣＰ／ＵＤＰフレームをネットワーク層のフレーム（ＩＰフレーム）にカプセル化し、さらに、ＩＰフレームの先頭にデータリンク層（ＭＡＣ層）のヘッダ（ＭＡＣヘッダ）を付加するとともにＩＰフレームの末尾に伝送誤り検出符号（ＦＣＳ：フレーム検査シーケンス）を付加することでデータリンク層のフレーム（ＭＡＣフレーム）を作成している（図３参照）。一方、住戸機２の制御部２０、子機３の制御部３０、共用部装置４の制御部４０の受信処理においては、通信部２１，２６，３１，４１から渡されるＭＡＣフレームからＩＰフレームを取り出し、さらにＩＰフレームからＴＣＰ／ＵＤＰフレームを取り出すとともに、ＴＣＰ／ＵＤＰフレームのデータ部に格納されているデータ（音声データや映像データなど）を取り出して通話や映像の表示などに必要な処理を行う。尚、ＭＡＣヘッダにはＭＡＣフレームの宛先の通信機器に割り当てられているＭＡＣアドレスを格納するための宛先ＭＡＣアドレスフィールドと、ＭＡＣフレームの送信元の通信機器に割り当てられているＭＡＣアドレスを格納するための送信元ＭＡＣアドレスフィールドとが設けられている。
【００４９】
ここで、通信制御装置１の通信制御部１０では、送受信回路部１１〜１４に対応した複数（４つ）の通信ポートのＭＡＣアドレスと、各通信ポートに伝送路を介して接続されている住戸機２又は共用部装置４のＭＡＣアドレスとの対応関係をメモリのアドレステーブルに記憶している。そして、何れかの送受信回路部１１〜１４で受信した伝送信号を一旦バッファメモリ（フレームバッファ）に格納し、当該伝送信号（ＭＡＣフレーム）の宛先ＭＡＣアドレスフィールドに格納されているＭＡＣアドレスに対応する通信ポートのＭＡＣアドレスをメモリのアドレステーブルから取得し、取得したＭＡＣアドレス（通信ポート）に対応する送受信回路部１１〜１４のみから伝送信号を送信させる。すなわち、通信制御装置１はスイッチングハブと同等のフレーム交換（スイッチング）機能を有している。
【００５０】
次に、本実施形態の基本的な動作を説明する。
【００５１】
まず、来訪者が共用部装置４（例えば、４1）のテンキーを操作して訪問先の住戸の住戸番号を入力すると、操作入力部４５から制御部４０に当該住戸番号を含む操作信号が出力される。操作信号を受け取った制御部４０は、データフィールドに呼出コマンドを格納したＭＡＣフレームを生成して通信部４１に渡した後、撮像部４４から出力される映像信号から作成した映像データをデータフィールドに格納したＭＡＣフレームを生成して通信部２４に渡す。尚、制御部４０においては、予めメモリに格納されている変換テーブルを参照して操作信号に含まれる住戸番号を当該住戸番号の住戸に設置されている住戸機２（例えば、２11）のＩＰアドレスに変換し、当該ＩＰアドレスを前記ＭＡＣフレームにカプセル化されているＩＰヘッダの宛先ＩＰアドレスフィールドに格納するとともに自己のＩＰアドレスをＩＰヘッダの送信元ＩＰアドレスフィールドに格納し、さらに、メモリに格納されている対応関係を参照して前記ＩＰアドレスと対応するＭＡＣアドレス、すなわち、訪問先の住戸に設置されている住戸機２11の通信部２１に割り当てられているＭＡＣアドレスを取得し、当該ＭＡＣアドレスをＭＡＣヘッダの宛先ＭＡＣアドレスフィールドに格納するとともに自己の通信部４１に割り当てられているＭＡＣアドレスをＭＡＣヘッダの送信元ＭＡＣアドレスフィールドに格納している。通信部４１では、制御部４０から渡されるＭＡＣフレームをデジタル変調して作成した伝送信号を通信線ＬＸ１に送出する。
【００５２】
通信線ＬＸ１に送出された伝送信号は通信制御装置１の送受信回路部１３で受信されて通信制御部１０に渡される。通信制御部１０では、受信した伝送信号の宛先ＭＡＣアドレスフィールドに格納されているＭＡＣアドレス（住戸機２11の通信部２１に割り当てられているＭＡＣアドレス）に対応する通信ポート（ＭＡＣアドレス）をアドレステーブルから取得し、当該通信ポート（送受信回路部１１）のみから、送受信回路部１３で受信した伝送信号を送出させる。
【００５３】
幹線Ｌｓ１に送出された伝送信号は、幹線Ｌｓ１に接続されている全ての住戸機２1nの通信部２１で受信される。通信部２１では、受信した伝送信号をデジタル復調することで得られるＭＡＣフレームを制御部２０に渡す。各住戸機２1nの制御部２０は、通信部２１から渡されるＭＡＣフレームのＭＡＣヘッダの宛先ＭＡＣアドレスフィールドに格納されているＭＡＣアドレスが自己の通信部２１に割り当てられているＭＡＣアドレスに一致しない場合は当該ＭＡＣフレームを破棄する。
【００５４】
一方、ＭＡＣヘッダの宛先ＭＡＣアドレスフィールドに格納されているＭＡＣアドレスが自己の通信部２１に割り当てられているＭＡＣアドレスに一致する住戸機２11の制御部２０では、当該ＭＡＣフレームのデータフィールドに格納されている呼出コマンドや映像データを取得する。そして制御部２０は、呼出コマンドに応じて音声入出力部２３のスピーカから呼出音を鳴動させるとともに、映像データからデジタル映像信号を復号化して映像表示部２４に出力することで来訪者の映像を表示デバイスに表示させる。
【００５５】
映像表示部２４に表示された映像で来訪者を確認した住戸の住人が住戸機２11の応答釦を操作すると、操作入力部２５から制御部２０に応答操作信号が出力される。応答操作信号を受け取った制御部２０は、音声入出力部２３から出力される音声データをデータフィールドに格納し、ＭＡＣヘッダの宛先ＭＡＣアドレスフィールドに呼出コマンドの送信元である共用部装置４1の通信部４１に割り当てられているＭＡＣアドレスを格納するとともに、送信元ＭＡＣアドレスフィールドに自己の通信部２１に割り当てられているＭＡＣアドレスを格納したＭＡＣフレームを生成して通信部２１に渡す。通信部２１では、制御部２０から渡されるＭＡＣフレームをデジタル変調して作成した伝送信号を住戸別線Ｌｃ11に送出する。
【００５６】
住戸別線Ｌｃ11に送出された伝送信号は幹線Ｌｓ１に接続されている他の住戸機２12，２13，…の通信部２１並びに通信制御装置１の通信ポート（送受信回路部１１）で受信される。そして、他の住戸機２12，２13，…では当該伝送信号の宛先ＭＡＣアドレスが自己の通信部２１に割り当てられているＭＡＣアドレスに一致しないことから当該伝送信号（ＭＡＣフレーム）を破棄する。一方、通信制御装置１の送受信回路部１３で受信される伝送信号は通信制御部１０に渡される。通信制御部１０では、受信した伝送信号の宛先ＭＡＣアドレスフィールドに格納されているＭＡＣアドレス（共用部装置４1の通信部４１に割り当てられているＭＡＣアドレス）に対応する通信ポート（ＭＡＣアドレス）をアドレステーブルから取得し、当該通信ポート（送受信回路部１３）のみから、送受信回路部１１で受信した伝送信号を送出させる。
【００５７】
通信線ＬＸ１に送出された伝送信号は、通信線ＬＸ１に接続されている共用部装置４1の通信部４１で受信される。通信部４１では、受信した伝送信号をデジタル復調することで得られるＭＡＣフレームを制御部４０に渡す。この場合、通信部４１から渡されるＭＡＣフレームのＭＡＣヘッダの宛先ＭＡＣアドレスフィールドに格納されているＭＡＣアドレスが自己の通信部４１に割り当てられているＭＡＣアドレスと一致するので、制御部４０は、当該ＭＡＣフレームのデータフィールドに格納されている音声データを取得し、当該音声データを音声入出力部４３に出力する。音声入出力部４３では、制御部４０から入力される音声データを復号化した後にＤ／Ａ変換したアナログの音声信号でスピーカを駆動して音声（住人の通話音声）を鳴動させる。
【００５８】
上述のようにして共用部装置４1から訪問先の住戸に設置されている住戸機２11に対して映像データと音声データが伝送されるとともに、住戸機２11から共用部装置４1に対して音声データが伝送されることにより、共用部装置４1と住戸機２11との間で住人と来訪者による通話が行われると同時に、共用部装置４1の撮像部４４で撮像された来訪者の映像が住戸機２11の映像表示部２４に表示される。
【００５９】
続いて、各住戸の住戸機２と子機３との間で通話する場合の動作を説明する。
【００６０】
来訪者が子機３の呼出釦を操作すると、子機３の操作入力部３５から制御部３０に呼出操作信号が出力される。呼出操作信号を受け取った制御部３０は、呼出コマンドをデータフィールドに格納したＭＡＣフレームを生成して通信部３１に渡した後、撮像部３４から出力される映像信号から作成した映像データをデータフィールドに格納したＭＡＣフレームを生成して通信部３４に渡す。尚、これらのＭＡＣフレームにおいては、ＭＡＣヘッダの宛先ＭＡＣアドレスフィールドに住戸機２の子機通信部２６に割り当てられているＭＡＣアドレスが格納され、送信元ＭＡＣアドレスフィールドには子機３の通信部３１に割り当てられているＭＡＣアドレスが格納される。通信部３１では、制御部３０から渡されるＭＡＣフレームをデジタル変調して作成した伝送信号を子機接続線Ｌｄに送出する。
【００６１】
子機接続線Ｌｄに送出された伝送信号は住戸機２の子機通信部２６で受信される。子機通信部２６では、受信した伝送信号をデジタル復調することで得られるＭＡＣフレームを制御部２０に渡す。住戸機２の制御部２０は、子機通信部２６から渡されるＭＡＣフレームのＭＡＣヘッダの宛先ＭＡＣアドレスフィールドに格納されているＭＡＣアドレスが子機通信部２６に割り当てられているＭＡＣアドレスに一致しない場合は当該ＭＡＣフレームを破棄する。一方、ＭＡＣヘッダの宛先ＭＡＣアドレスフィールドに格納されているＭＡＣアドレスが子機通信部２６に割り当てられているＭＡＣアドレスに一致すれば、制御部２０は当該ＭＡＣフレームのデータフィールドに格納されている呼出コマンドや映像データを取得する。そして制御部２０では、呼出コマンドに応じて音声入出力部２４のスピーカから呼出音を鳴動させるとともに、映像データからデジタル映像信号を復号化して映像表示部２４に出力することで来訪者の映像を表示デバイスに表示させる。
【００６２】
映像表示部２４に表示された映像で来訪者を確認した住戸の住人が住戸機２の応答釦を操作すると、操作入力部２５から制御部２０に応答操作信号が出力される。応答操作信号を受け取った制御部２０は、音声入出力部２３から出力される音声データをデータフィールドに格納し、ＭＡＣヘッダの宛先ＭＡＣアドレスフィールドに呼出コマンドの送信元である子機３の子機通信部３１に割り当てられているＭＡＣアドレスを格納するとともに、送信元ＭＡＣアドレスフィールドに自己の子機通信部２６に割り当てられているＭＡＣアドレスを格納したＭＡＣフレームを生成して子機通信部２６に渡す。子機通信部２６では、制御部２０から渡されるＭＡＣフレームをデジタル変調して作成した伝送信号を子機接続線Ｌｄに送出する。
【００６３】
子機接続線Ｌｄに送出された伝送信号は子機３の通信部３１で受信される。通信部３１では、受信した伝送信号をデジタル復調することで得られるＭＡＣフレームを制御部３０に渡す。子機３の制御部３０は、通信部３１から渡されるＭＡＣフレームのＭＡＣヘッダの宛先ＭＡＣアドレスフィールドに格納されているＭＡＣアドレスが通信部３１に割り当てられているＭＡＣアドレスに一致しない場合は当該ＭＡＣフレームを破棄する。一方、ＭＡＣヘッダの宛先ＭＡＣアドレスフィールドに格納されているＭＡＣアドレスが通信部３１に割り当てられているＭＡＣアドレスに一致すれば、制御部３０は当該ＭＡＣフレームのデータフィールドに格納されている音声データを取得し、当該音声データを音声入出力部３３に出力する。音声入出力部３３では、制御部３０から入力される音声データを復号化した後にＤ／Ａ変換したアナログの音声信号でスピーカを駆動して音声（住人の通話音声）を鳴動させる。
【００６４】
上述のようにして子機３から住戸機２に対して映像データと音声データが伝送されるとともに、住戸機２から子機３に対して音声データが伝送されることにより、住戸機２と子機３との間で住人と来訪者による通話が行われると同時に、子機３の撮像部３４で撮像された来訪者の映像が住戸機２の映像表示部２４に表示される。但し、子機３と住戸機２との間で行う通信は、ＭＡＣアドレスやＩＰアドレスなどのヘッダを付加した所謂パケット通信でなくとも、ベースバンドの映像信号や音声信号をアナログ変調若しくはデジタル変調した伝送信号を送受信する方式であっても構わない。
【００６５】
ところで、幹線Ｌｓ１，Ｌｓ２や住戸別線Ｌｃ、子機接続線Ｌｄなどの伝送路として、例えば、ＵＴＰケーブル（シールドなしツイストペア・ケーブル）が使用され、しかも、異なる伝送路が隣接して配設された場合、一方の伝送路（ケーブル）の信号が、他方の伝送路（ケーブル）の信号に影響を受け、他の送信信号と混ざり合って受信してしまう現象（漏話＜クロストーク＞）が生じる虞がある。尚、漏話には近端漏話（ＮＥＸＴ：ニアリ・エンド・クロストーク）と遠端漏話（ＦＥＸＴ：ファー・エンド・クロストーク）の２種類の漏話がある。
【００６６】
本実施形態においては、通信制御装置１の通信制御部１０並びに住戸機２の制御部２０に、漏話の有無を試験するための試験モードが設けられている。すなわち、通信制御装置１の操作入力部１５において試験開始釦（図示せず）が操作されると、操作入力部１５から通信制御装置１の通信制御部１０へ試験モードへのモード切換信号が出力され、当該モード切換信号が入力された通信制御部１０が試験モードに移行する。尚、通信制御部１０は、試験モードに移行したことを各住戸機２の制御部２０並びに共用部装置４の制御部４０に対して伝送信号によって通知する。
【００６７】
試験モードに移行した通信制御部１０は、幹線Ｌｓ１，Ｌｓ２に接続されている全ての住戸機２を指定する特殊なＭＡＣアドレス（いわゆる、ブロードキャストアドレス）を宛先ＭＡＣアドレスフィールドに格納するとともに幹線Ｌｓ１に接続されている通信ポート（送受信回路部１１）に割り当てられているＭＡＣアドレスを送信元ＭＡＣアドレスフィールドに格納し且つデータフィールドに試験データ（試験データであることを示す特定のビット例）を格納したＭＡＣフレームを生成するとともに当該ＭＡＣフレームをデジタル変調してなる試験用の伝送信号を送受信回路部１１から一方の幹線Ｌｓ１のみへ送出させる。通信制御部１０は、試験用の伝送信号を送受信回路部１１から幹線Ｌｓ１に送出させた時点から所定時間内（例えば、数秒以内）に、他方の幹線Ｌｓ２に接続されている送受信回路部１２で当該試験用の伝送信号が受信されるか否かを監視する。そして、所定時間内に送受信回路部１２で試験用の伝送信号が受信された場合、通信制御部１０は、幹線Ｌｓ１，Ｌｓ２の間で漏話（近端漏話）が生じていると判断して、報知部１６から異常（近端漏話の発生）を報知させる。但し、所定時間内に送受信回路部１２で試験用の伝送信号が受信されない場合、通信制御部１０は、幹線Ｌｓ１，Ｌｓ２の間で漏話（近端漏話）が生じていないと判断して、報知部１６から異常を報知させない。
【００６８】
また、通信制御装置１から一方の幹線Ｌｓ１に送出された試験用の伝送信号は、本来、当該幹線Ｌｓ１に接続されている住戸機２m1のみで受信され、他方の幹線Ｌｓ２に接続されている住戸機２m2では受信されないはずである。そこで、通信制御装置１の通信制御部１０から各住戸機２mnの制御部２０に対して、何れの幹線Ｌｓ１，Ｌｓ２（今の場合は幹線Ｌｓ１）に試験用の伝送信号を送信するかということ、つまり、試験対象の幹線が幹線Ｌｓ２であることを事前に伝送信号によって通知しておく。そして、試験対象の幹線Ｌｓ２に接続されている住戸機２m2の制御部２０では、通信部２１で受信した伝送信号が試験用の伝送信号であった場合、映像表示部２４にメッセージを表示させたり、あるいは音声入出力部２３のスピーカから音声メッセージを鳴動させることで異常（遠端漏話の発生）を報知する。また、当該住戸機２m2の制御部２０は、映像表示部２４や音声入出力部２３から異常を報知する代わりに、若しくは当該異常の報知とともに、データフィールドに遠端漏話の発生を知らせるメッセージを格納してなるＭＡＣフレームを作成し、当該ＭＡＣフレームをデジタル変調してなる伝送信号を通信制御装置１へ送信する。そして、通信制御装置１の通信制御部１０では、他方の幹線Ｌｓ２に接続されている住戸機２m2から前記伝送信号を受信すると、データフィールドに格納されている遠端漏話の発生を知らせるメッセージに基づき、報知部１６から異常（遠端漏話の発生）を報知させる。尚、試験用の伝送信号の宛先アドレス（宛先ＭＡＣアドレス）は必ずしもブロードキャストアドレスである必要はなく、一方の幹線Ｌｓ１に接続されている何れかの住戸機（例えば、２11）の通信部２１に割り当てられているＭＡＣアドレスであってもよい。
【００６９】
ここで、通信制御装置１の４つの通信ポート（送受信回路部１１〜１４）に対して唯一のＭＡＣアドレスが共通に割り当てられている場合がある（例えば、一つの通信ポートから入出力される伝送信号を電気的に分配して多系統の幹線に配線する場合など）。この場合、上述のように試験用の伝送信号の送信元ＭＡＣアドレスフィールドに格納されているＭＡＣアドレスに基づいて近端漏話発生の有無を判断することはできない。故に、特定の長さ（時間）及び振幅を有する伝送信号を試験用の伝送信号とし、通信制御部１０において、例えば、送受信回路部１１から一方の幹線Ｌｓ１へ当該試験用の伝送信号を送出させ、その送出から所定時間内に送受信回路部１２で受信する信号パワー（ＲＳＳＩ値）が所定の閾値を超えているときに近端漏話が発生していると判断すればよい。このとき、通信制御部１０では送受信回路部１１から幹線Ｌｓ１へ試験用の伝送信号を送出するタイミング、並びに送受信回路部１２で信号パワー（ＲＳＳＩ値）を検出するタイミングが判っているので、幹線Ｌｓ２に誘導されるノイズを試験用の伝送信号として誤検出することが抑制できる。
【００７０】
次に、各住戸機２mnを幹線Ｌｓ１，Ｌｓ２に接続している住戸別線Ｌｃmnと、各住戸機２mn毎に子機３mnが接続されている子機接続線Ｌｄmnとの間に生じる漏話の有無を検出する場合について説明する。
【００７１】
試験モードにおいて、通信制御装置１の通信制御部１０から試験対象の住戸機２mnに対して試験用の伝送信号を送信（ユニキャスト）する。また、試験用の伝送信号の送信に合わせて、試験対象の住戸機２mnに接続されている子機３mnの呼出釦を操作して当該子機３mnの送受信回路部３２から子機接続線Ｌｄmnへ伝送信号を送出させる。
【００７２】
一方、試験対象の住戸機２mnの制御部２０では、住戸別線Ｌｃmnに接続されている送受信回路部２２で受信する試験用の伝送信号の信号対雑音比（ＳＮ比）を計測し、予め子機３mnから子機接続線Ｌｄmnに伝送信号が送出されていない状態で計測した住戸別線Ｌｃmnの信号対雑音比の値（基準値）に比べて劣化しているか否かを判定する。そして、基準値に比べて劣化している場合、試験対象の住戸機２mnの制御部２０は、映像表示部２４にメッセージを表示させたり、あるいは音声入出力部２３のスピーカから音声メッセージを鳴動させることで異常（住戸別線Ｌｃmnと子機接続線Ｌｄmnとの間の漏話の発生）を報知する。また、当該住戸機２mnの制御部２０は、映像表示部２４や音声入出力部２３から異常を報知する代わりに、若しくは当該異常の報知とともに、データフィールドに前記漏話の発生を知らせるメッセージを格納してなるＭＡＣフレームを作成し、当該ＭＡＣフレームをデジタル変調してなる伝送信号を通信制御装置１へ送信する。そして、通信制御装置１の通信制御部１０では、住戸機２mnから前記伝送信号を受信すると、データフィールドに格納されている漏話の発生を知らせるメッセージに基づき、報知部１６から異常（住戸別線Ｌｃmnと子機接続線Ｌｄmnとの間の漏話の発生）を報知させる。
【００７３】
さらに、通信制御装置１から送信する伝送信号により、あるいは操作入力部２５から出力される操作信号によって住戸機２mnの制御部２０を試験モードに設定し、通信制御装置１から試験用の伝送信号を含む全ての伝送信号を送信していない状態において、試験対象の住戸機２mnに接続されている子機３mnの呼出釦を操作して当該子機３mnの送受信回路部３２から子機接続線Ｌｄmnへ伝送信号を送出させる。このとき、住戸機２mnの制御部２０では、住戸別線Ｌｃmnに接続されている送受信回路部２２で受信する信号パワー（ＲＳＳＩ値）が所定の閾値を超えれば、住戸別線Ｌｃmnと子機接続線Ｌｄmnとの間に漏話が発生していると判断し、映像表示部２４にメッセージを表示させたり、あるいは音声入出力部２３のスピーカから音声メッセージを鳴動させることで異常（住戸別線Ｌｃmnと子機接続線Ｌｄmnとの間の漏話の発生）を報知する。また、当該住戸機２mnの制御部２０は、映像表示部２４や音声入出力部２３から異常を報知する代わりに、若しくは当該異常の報知とともに、データフィールドに前記漏話の発生を知らせるメッセージを格納してなるＭＡＣフレームを作成し、当該ＭＡＣフレームをデジタル変調してなる伝送信号を通信制御装置１へ送信する。そして、通信制御装置１の通信制御部１０では、住戸機２mnから前記伝送信号を受信すると、データフィールドに格納されている漏話の発生を知らせるメッセージに基づき、報知部１６から異常（住戸別線Ｌｃmnと子機接続線Ｌｄmnとの間の漏話の発生）を報知させる。
【００７４】
上述のように本実施形態によれば、幹線Ｌｓ１，Ｌｓ２の間に発生する漏話（近端漏話及び遠端漏話）や幹線Ｌｓ１，Ｌｓ２に接続されている住戸別線Ｌｃmnと子機接続線Ｌｄmnとの間に発生する漏話を通信制御装置１や各住戸機２mnにおいて検出するとともに、漏話が生じていること（異常）を通信制御装置１や各住戸機２mnで報知しているので、集合住宅用インターホンシステムの運用前（例えば、システムの施工時）に施工者等に漏話の発生を知らせることができて、漏話が生じている幹線Ｌｓ１，Ｌｓ２や住戸別線Ｌｃmnと子機接続線Ｌｄmnを物理的に離すといった処置を取るように促すことができる。
【００７５】
（実施形態２）
本実施形態は、少なくとも何れか一つの系統の幹線Ｌｓ１，Ｌｓ２において通信制御装置１と住戸機２mnとの間に挿入され、上流側の通信制御装置１から送信される伝送信号を下流側の住戸機２mnへ中継するとともに下流側の住戸機２mnから送信される伝送信号を上流側の通信制御装置１へ中継する中継器５を有している。但し、中継器５を除く本実施形態のシステム構成は実施形態１と共通であるから、共通の構成要素には同一の符号を付して図示並びに説明を省略する。
【００７６】
中継器５は、図４に示すようにＣＰＵやメモリを具備する中継制御部５０と、幹線Ｌｓ１（又はＬｓ２）に接続された送信アンプ及び受信アンプからなる上流側及び下流側の送受信回路部５１，５２とを備え、上流側の送受信回路部５１には幹線Ｌｓ１を介して通信制御装置１の送受信回路部１１（又は１２）が接続され、下流側の送受信回路部５２には住戸別線Ｌｃ1n（又はＬ2n）が接続されている幹線Ｌｓ１（又はＬｓ２）が接続されている。
【００７７】
中継制御部５０は、例えば、幹線Ｌｓ１を介して上流側の送受信回路部５１に接続されている通信制御装置１の送受信回路部１１に割り当てられているＭＡＣアドレスと、幹線Ｌｓ１及び住戸別線Ｌｃ1nを介して下流側の送受信回路部５２に接続されている住戸機２1nの通信部２１に割り当てられているＭＡＣアドレスとをメモリに記憶している。これらのＭＡＣアドレスを取得する方法としては、住戸別線Ｌｃ1nを介して幹線Ｌｓ１に接続された各住戸機２1nの起動時に、当該住戸機２1nの制御部２０から通信制御装置１に対してＭＡＣアドレスやＩＰアドレスなどを登録するために送信される伝送信号を監視し、当該伝送信号の送信元ＭＡＣアドレスを取得する方法などがある。
【００７８】
そして、中継制御部５０では、上流側の送受信回路部５１で受信する試験用の伝送信号の宛先ＭＡＣアドレスフィールドに格納されているＭＡＣアドレスが、メモリに記憶しているＭＡＣアドレス（幹線Ｌｓ１に接続されている住戸機２1nの通信部２１に割り当てられているＭＡＣアドレス）に一致しなければ、幹線Ｌｓ１，Ｌｓ２の間で漏話が生じていると判定し、データフィールドに漏話の発生を知らせるメッセージを格納してなるＭＡＣフレームを作成し、当該ＭＡＣフレームをデジタル変調してなる伝送信号を通信制御装置１へ送信する。通信制御装置１の通信制御部１０では、中継器５から前記伝送信号を受信すると、データフィールドに格納されている漏話の発生を知らせるメッセージに基づき、報知部１６から異常（幹線Ｌｓ１，Ｌｓ２における漏話の発生）を報知させる。但し、漏話の発生を中継器５から通信制御装置１へ通知する代わりに、若しくは当該通知とともに、中継器５に設けた図示しない報知手段（例えば、ブザーや表示器など）で異常（漏話の発生）を報知するようにしても構わない。さらに、中継制御部５０は、上流側の送受信回路部５１で受信する伝送信号（試験用か否かを問わない）の宛先ＭＡＣアドレスフィールドに格納されているＭＡＣアドレスが、メモリに記憶しているＭＡＣアドレスに一致しなければ、当該伝送信号を下流側に中継せずに破棄する。これにより、中継器５よりも上流側で生じた漏話によって中継器５の下流側の輻輳を回避することができる。
【００７９】
而して本実施形態によれば、実施形態１と同様に集合住宅用インターホンシステムの運用前（例えば、システムの施工時）に施工者等に幹線Ｌｓ１，Ｌｓ２の漏話の発生を知らせることができて、漏話が生じている幹線Ｌｓ１，Ｌｓ２を物理的に離すといった処置を取るように促すことができる。
【図面の簡単な説明】
【００８０】
【図１】本発明の実施形態１を示すシステム構成図である。
【図２】同上における子機のブロック図である。
【図３】同上におけるフレームの説明図である。
【図４】本発明の実施形態２における中継器のブロック図である。
【符号の説明】
【００８１】
１  通信制御装置
２  住戸機（端末）
３  子機
１０  通信制御部（漏話検出手段）
１６  報知部（報知手段）
Ｌｓ１，Ｌｓ２  幹線（通信線）
Ｌｃ  住戸別線（通信線）
【図１】
2010109750.tif 000003
【図２】
2010109750.tif 000004
【図３】
2010109750.tif 000005
【図４】
2010109750.tif 000006